(57)【特許請求の範囲】
【請求項１】
ＭＲ装置の検査ボリューム内に配置された対象のＭＲイメージングの方法であって、
前記対象をＲＦパルスのイメージングシーケンス及び切り替えられた磁場勾配にさらすステップを含み、前記イメージングシーケンスは、ゼロエコー時間シーケンスであり、
ｉ）設定された読み出し方向及び設定された読み出し強度を有する読み出し磁場勾配を印加するステップと、
ｉｉ）前記読み出し磁場勾配の存在下でＲＦパルスを放射するステップと、
ｉｉｉ）前記読み出し磁場勾配の存在下で放射状のｋ空間サンプルを表すＦＩＤ信号を取得するステップであって、前記ＦＩＤ信号の取得は、前記ＲＦパルスの放射後に前記ＭＲ装置のレシーバゲインがまだ安定していない取得時間に開始される、前記取得するステップと、
ｉｖ）前記読み出し方向の設定を徐々に変動させるステップと、
ｖ）ステップｉ）〜ｉｖ）を複数回繰り返すことによって、ｋ空間内の球状ボリュームをサンプリングするステップと
ｖｉ）前記レシーバゲインの時間的変動のために取得された前記ＦＩＤ信号を補償するステップと
ｖｉｉ）取得され補償された前記ＦＩＤ信号からＭＲ画像を再構成するステップと
を含む、方法。
【請求項２】
前記読み出し強度が、ステップｉ）〜ｉｖ）の繰返しの間で変動する、請求項１に記載の方法。
【請求項３】
前記読み出し強度は、実質的に同じ読み出し方向と異なる読み出し強度とで少なくとも２つのＦＩＤ信号が取得されるように変動される、請求項２に記載の方法。
【請求項４】
前記レシーバゲインの時間的変動は、同一のｋ空間位置で取得されたが前記ＲＦパルスの放射後の異なる取得時間で得られたｋ空間サンプルを比較することによって得られる、請求項３に記載の方法。
【請求項５】
少なくとも１つのＦＩＤ信号は、ゼロ読み出し強度で取得される、請求項１乃至４の何れか一項に記載のＭＲイメージングの方法。
【請求項６】
前記レシーバゲインの時間的変動は、ゼロ読み出し強度で取得された前記ＦＩＤ信号から得られる、請求項５に記載のＭＲイメージングの方法。
【請求項７】
検査ボリューム内に均一な定常磁場を生成するための少なくとも１つの主磁石コイルと、前記検査ボリューム内の異なる空間方向に切り替えられた磁場勾配を生成するためのいくつかの勾配コイルと、前記検査ボリューム内にＲＦパルスを生成するため及び／又は前記検査ボリューム内に配置された対象からＭＲ信号を受信するための少なくとも１つのＲＦコイルと、前記ＲＦパルスの時間的連続及び切り替えられた磁場勾配を制御する制御ユニットと、再構成ユニットと、を含むＭＲ装置であって、
前記対象をＲＦパルスのイメージングシーケンス及び切り替えられた磁場勾配にさらすステップを実行し、前記イメージングシーケンスは、ゼロエコー時間シーケンスであり、
ｉ）設定された読み出し方向及び読み出し強度を有する読み出し磁場勾配を印加するステップと、
ｉｉ）前記読み出し磁場勾配の存在下でＲＦパルスを放射するステップと、
ｉｉｉ）前記読み出し磁場勾配の存在下で放射状のｋ空間サンプルを表すＦＩＤ信号を取得するステップであって、前記ＦＩＤ信号の取得は、前記ＲＦパルスの放射後に前記ＭＲ装置のレシーバゲインがまだ安定していない取得時間に開始される、前記取得するステップと、
ｉｖ）前記読み出し方向の設定を徐々に変動させるステップと、
ｖ）ステップｉ）〜ｉｖ）を複数回繰り返すことによって、ｋ空間内の球状ボリュームをサンプリングするステップと
ｖｉ）前記レシーバゲインの時間的変動のために取得された前記ＦＩＤ信号を補償するステップと
ｖｉｉ）取得され補償された前記ＦＩＤ信号からＭＲ画像を再構成するステップとを実行する、
ＭＲ装置。
【請求項８】
ＭＲ装置上で実行されるコンピュータプログラムであって、前記コンピュータプログラムは、
ＲＦパルスのイメージングシーケンス及び切り替えられた磁場勾配を生成するための命令を含み、前記イメージングシーケンスは、ゼロエコー時間シーケンスであり、
ｉ）読み出し方向及び読み出し強度を有する読み出し磁場勾配を設定するステップと、
ｉｉ）前記読み出し磁場勾配の存在下でＲＦパルスを放射するステップと、
ｉｉｉ）前記読み出し磁場勾配の存在下で放射状のｋ空間サンプルを表すＦＩＤ信号を取得するステップであって、前記ＦＩＤ信号の取得は、前記ＲＦパルスの放射後に前記ＭＲ装置のレシーバゲインがまだ安定していない取得時間に開始される、前記取得するステップと、
ｉｖ）前記読み出し方向を徐々に変動させるステップと、
ｖ）ステップｉ）〜ｉｖ）を複数回繰り返すことによって、ｋ空間内の球状ボリュームをサンプリングするステップと
ｖｉ）前記レシーバゲインの時間的変動のために取得された前記ＦＩＤ信号を補償するステップと
ｖｉｉ）取得され補償された前記ＦＩＤ信号からＭＲ画像を再構成するステップと
を含む、命令を含む、
コンピュータプログラム。
【発明の詳細な説明】
【技術分野】
【０００１】
本発明は、磁気共鳴（ＭＲ）イメージングの分野に関する。本発明はＭＲイメージングの方法に関する。本発明はまた、ＭＲ装置と、ＭＲ装置上で実行されるコンピュータプログラムとに関する。
【背景技術】
【０００２】
２次元画像又は３次元画像を形成するために磁場と核スピンとの相互作用を利用する画像形成ＭＲ法は、軟組織のイメージングにつき、電離放射線を必要とせず、通常は侵襲性ではないことから、多くの点で他のイメージング方法より優れているため、今日、特に医療診断の分野で広く使用されている。
【０００３】
一般に、ＭＲ法によれば、検査されるべき患者の身体は、その方向が測定の基礎となる座標系の軸（通常、ｚ軸）を同時に定義する、強く均一な磁場（Ｂ０フィールド）に配置される。磁場は、定義された周波数（いわゆるラーモア周波数、又はＭＲ周波数）の電磁交番磁界（ＲＦフィールド、またＢ１フィールドとも呼ばれる）の印加によって励起されることができる磁場強度（スピン共鳴）に依存して、個々の核スピンに対して異なるエネルギーレベルを生成する。巨視的な観点から、個々の核スピンの分布は、適切な周波数（ＲＦパルス）の電磁パルスの印加によって平衡状態の外に偏向させることができる全体的な磁化を生成し、これにより磁化はｚ軸周りの歳差運動を行う。歳差運動は、開口角がフリップ角と呼ばれる円錐の表面を表す。フリップ角の大きさは、印加された電磁パルスの強度及び持続時間に依存する。いわゆる９０°パルスの場合、スピンはｚ軸から横断面（フリップ角９０°）に偏向される。
【０００４】
ＲＦパルスの終了後、磁化は元の平衡状態に戻り、ｚ方向の磁化は第１の時定数Ｔ１（スピン格子緩和時間又は縦緩和時間）で再び構築され、ｚ方向に垂直な方向の磁化は第２の時定数Ｔ２（スピン‐スピン緩和時間又は横緩和時間）で緩和する。磁化の変動は、磁化の変動がｚ軸に垂直な方向で測定されるように、ＭＲ装置の検査ボリューム内に配置され配向された１つ以上の受信ＲＦコイルによって検出されることができる。横断磁化の減衰は、例えば９０°パルスの印加後に、（局所的な磁場の不均一性によって誘発される）核スピンが、同じ位相を有する秩序状態から全ての位相角が均一に分布する状態（ディフェージング）への遷移によって伴われる。ディフェージングは、リフォーカシングパルス（例えば、１８０°パルス）によって補償されることができる。これは、受信コイルにエコー信号（スピンエコー）を生成する。
【０００５】
体内の空間分解能を実現するために、３つの主軸に沿って伸びる線形磁場勾配は、均一磁場に重畳され、スピン共鳴周波数の線形空間依存性をもたらす。次いで、受信コイル内に取り出された信号は、体内の異なる位置に関連されることができる異なる周波数の成分を含む。ＲＦコイルを介して得られるＭＲ信号データは、空間周波数領域に対応し、ｋ空間データと呼ばれる。ｋ空間データは、通常、異なる位相エンコーディングで取得された複数のラインを含む。各ラインは、いくつかのサンプルを収集することによってデジタル化される。一連のｋ空間データは、フーリエ変換又は他の適切な再構成アルゴリズムによってＭＲ画像に変換される。
【０００６】
骨や肺のような、非常に短い横緩和時間を有する組織のＭＲイメージングがますます重要になっている。この目的のための既知の方法は、基本的に３次元（３Ｄ）放射状ｋ空間サンプリングを使用する。いわゆるゼロエコー時間（ＺＴＥ）技術において、読み出し勾配は、高帯域幅の短いハードＲＦパルスで磁気共鳴を励起する前に設定される。このようにして、勾配エンコーディングは、磁気共鳴の励起時に瞬間的に開始する。自由誘導減衰（ＦＩＤ）信号の取得は、ＲＦパルスの放射の直後に開始し、効果的にゼロの「エコー時間」（ＴＥ）を生じる。ＦＩＤ読み出しの後、次のＲＦパルスが印加される前に次の読み出し勾配の設定に最低限の時間しか必要とされないので、非常に短い繰り返し時間（ＴＲ）が可能になる。読み出し方向は、繰り返しから繰り返しまで、ｋ空間内の球状ボリュームが必要な程度までサンプリングされるまで、徐々に変動する。ＴＲ間隔の間の読み出し勾配をオフにする必要なく、ＺＴＥイメージングは事実上静かに行われることができる（Weigerら、磁気共鳴 in Medicine、第70巻、328~332頁、2013参照）。
【０００７】
ＺＴＥイメージングにおける課題は、ＲＦパルスの有限の持続時間、送信‐受信スイッチング、及び信号フィルタリングに起因する初期不感時間のために、ｋ空間データがｋ空間中心内でわずかに不完全であることである。
【０００８】
このｋ空間ギャップは、例えば、既知のＰＥＴＲＡ技術のように、放射状ＺＴＥサンプリングとｋ空間中心の追加のデカルトサンプリングとの結合によって対処されることができる。
【発明の概要】
【発明が解決しようとする課題】
【０００９】
上述より、ＺＴＥイメージングの改善された方法が必要であることは容易に理解される。本発明の目的は、ｋ空間中心のサンプリングを用いて「サイレント」ＺＴＥ撮像を可能にすることである。
【００１０】
本発明によれば、ＭＲ装置の検査ボリューム内に配置された対象のＭＲイメージングの方法が開示される。本発明の方法は、
対象をＲＦパルスのイメージングシーケンス及び切り替えられた磁場勾配にさらすステップであって、イメージングシーケンスは、ゼロエコー時間シーケンスであり、
ｉ）読み出し方向及び読み出し強度を有する読み出し磁場勾配を設定するステップと、
ｉｉ）読み出し磁場勾配の存在下でＲＦパルスを放射するステップと、
ｉｉｉ）読み出し磁場勾配の存在下で放射状のｋ空間サンプルを表すＦＩＤ信号を取得するステップであって、ＦＩＤ信号の取得はレシーバの不感時間中、すなわちＲＦパルスの放射後にＭＲ装置のレシーバゲインがまだ安定していない取得時間に既に開始される、前記取得するステップと、
ｉｖ）読み出し方向を徐々に変動させるステップと、
ｖ）ステップｉ）〜ｉｖ）を複数回繰り返すことによって、ｋ空間内の球状ボリュームをサンプリングするステップと
を含むステップと、
取得されたＦＩＤ信号からＭＲ画像を再構成するステップと
を含む。
【００１１】
本発明によれば、放射状ＺＴＥの取得は、主に従来の方法で適用される。ＭＲ信号は、ｋ空間内の所望のボリュームがサンプリングされ、取得されたＭＲ信号からＭＲ画像が再構成されることができるまで、読み出し方向が徐々に変動する間、ＲＦパルスの放射を繰り返すことによって、放射状のｋ空間サンプルとして取得される。しかし、本発明は、少なくともいくつかのＦＩＤ信号が異なる読み出し強度で取得されるように、読み出し強度が変動されることを提案する。
【００１２】
好ましくは、読み出し強度は、少なくとも２つのＦＩＤ信号が取得されるように、両方の読み出し方向が実質的に同じであるが、各々が別の読み出し強度を有するように、変動される。
【００１３】
上述のように、ｋ空間の中央領域からのＦＩＤ信号の取得は、主に、ＲＦパルスの持続時間、送信‐受信スイッチング、及び信号フィルタリングに起因する有限の不感時間のために損なわれる。言い換えれば、不感時間の間、ＭＲ装置のレシーバゲインは、まだその安定したレベルに達していない。本発明の洞察は、レシーバゲインの開始が安定していない可能性があるが、それに関わらず再現性が高いことである。したがって、不感時間の間のレシーバゲインの時間的変動は、本発明によれば、同一のｋ空間位置で取得されたがＲＦパルスの照射後の異なる取得時間で得られたｋ空間サンプルを比較することによって得られる。これにより、既に不感時間の間に、すなわちＲＦパルスの放射後にＭＲ装置のレシーバゲインがまだ安定していない取得時間に、ＦＩＤ信号の取得を開始することが可能になる。本発明によれば、レシーバの不感時間の間の信号破損に起因するアーチファクトのないＦＩＤ信号からＭＲ画像が再構成されることができるように、レシーバゲインの時間的変動は取得されたＦＩＤ信号において補償されることができる。本発明の洞察は、レシーバゲインが変動し得ることであるが、開始変動はそれが補償されることができるように全く再現可能であることである。必要とされる補償は、別個のキャリブレーション、時間的ＲＦレシーバゲインのシミュレーションから得ることができる。時間的レシーバゲインは、ＲＦレシーバ機器のハードウェア特性から決定されることもできる。本発明の更なる任意の態様によれば、必要とされる補償は、同一のｋ空間位置であるが異なる取得時間でｋ空間サンプルを比較することによって、ＺＴＥシーケンス内で得られる。信号間の信号レベルの任意の差は同じｋ空間位置を形成するが、異なる取得時間は効果的なレシーバゲイン変動を表す。したがって、その差からレシーバゲイン変動を計算することができる。その計算の正確な詳細は、オプショナルの実施詳細である。
【００１４】
結果として、本発明は、ＺＴＥ取得方式においてｋ空間の中心からＦＩＤ信号をより正確に取得することを可能にする。したがって、本発明は、ＺＴＥ／サイレント走査の画質を改善する。
【００１５】
本発明の好ましい実施形態では、ＦＩＤ信号の少なくとも１つは、ゼロ読み出し強度で取得される。ゼロ読み出し強度での測定は、ｋ＝０で欠落した情報を直接提供する。このような測定は、例えば走査の開始時又は終了時等、都合の良い時点でＺＴＥシーケンスに挿入されることができる。
【００１６】
更に、時間的レシーバゲイン変動は、ゼロ読み出し強度で取得されたＦＩＤ信号から得られることができる。ＦＩＤ信号の全ての信号値は、信号変動が不感時間の間のレシーバゲインの時間的変動を直接反映するように、ｋ＝０に対応する。次いで、ゼロ勾配強度で取得されたＦＩＤ信号から得られる時間的レシーバゲイン曲線は、非ゼロ読み出し強度で取得されたＦＩＤ信号における不感時間効果を補償するために使用されることができる。
【００１７】
したがって、これまで説明した本発明の方法は、検査ボリューム内に均一な定常磁場を生成するための少なくとも１つの主磁石コイルと、検査ボリューム内の異なる空間方向に切り替えられた磁場勾配を生成するためのいくつかの勾配コイルと、検査ボリューム内にＲＦパルスを生成するため及び／又は検査ボリューム内に配置された患者の身体からＭＲ信号を受信するための少なくとも１つのＲＦコイルと、ＲＦパルスの時間的連続及び切り替えられた磁場勾配を制御する制御ユニットと、再構成ユニットと、を含むＭＲ装置によって行われることができる。本発明の方法は、好ましくは、ＭＲ装置の再構成ユニット及び／又は制御ユニットの対応するプログラミングによって実施される。
【００１８】
本発明の方法は、現時点での臨床用途のほとんどのＭＲ装置において有利に行われることができる。この目的のために、本発明の上述の方法ステップを行うようにＭＲ装置を制御するコンピュータプログラムを利用することだけが必要である。コンピュータプログラムは、ＭＲ装置の制御ユニット内にインストールするためにダウンロードされるように、データキャリア上に存在し得、データネットワーク内に存在し得る。
【図面の簡単な説明】
【００１９】
添付の図面は、本発明の好ましい実施形態を開示する。しかし、図面は、説明の目的のためだけに設計されており、本発明の範囲の定義としてではないことを理解されたい。図面には以下が示される。
【００２０】
【図１】本発明の方法を実施するためのＭＲ装置を概略的に示す。
【図２】本発明に従って適用されるＺＴＥシーケンスを図示する。
【図３】本発明の一実施形態によるｋ空間の放射状サンプリングを図示する。
【発明を実施するための形態】
【００２１】
図１を参照すると、本発明の方法を実施するために使用されることができるＭＲ装置１が示される。この装置は、検査ボリュームを通ってｚ軸に沿って実質的に均一で時間的に一定の主磁場Ｂ０が生成されるように、超伝導又は抵抗性主磁石コイル２を含む。この装置は更に、一連の（第１、第２、及び該当する場合は第３）シミングコイル２´を含み、セット２´の個々のシミングコイルを通る電流は、検査ボリューム内のＢ０偏差を最小限に抑える目的で制御可能である。
【００２２】
磁気共鳴生成及び操作システムは、核磁気スピンを反転又は励起し、磁気共鳴を誘発し、磁気共鳴を再集束し、磁気共鳴を操作し、空間的に又はそれ以外の態様で磁気共鳴をエンコードし、スピンを飽和させて、ＭＲイメージングを行うために、一連のＲＦパルス及び切り替えられた磁場勾配を印加する。
【００２３】
より具体的には、勾配パルス増幅器３は、検査ボリュームのｘ、ｙ及びｚ軸に沿って、全身勾配コイル４、５及び６の選択されたものに電流パルスを印加する。デジタルＲＦ周波数トランスミッタ７は、ＲＦパルスを検査ボリューム内に送信するために、送信／受信スイッチ８を介してＲＦパルス又はパルスパケットを身体ＲＦコイル９に送信する。典型的なＭＲイメージングシーケンスは、互いに一緒に取られる短期間のＲＦパルスセグメントのパケットで構成され、任意の印加された磁場勾配によって核磁気共鳴の選択された操作が達成される。ＲＦパルスは、飽和するか、共鳴を励起するか、磁化を反転するか、共鳴を再集束するか、又は共鳴を操作し、検査ボリューム内に配置された身体１０の一部分を選択するために使用される。ＭＲ信号はまた、身体ＲＦコイル９によって取り出される。
【００２４】
パラレルイメージングによって身体１０の限定された領域のＭＲ画像を生成するために、一連のローカルアレイＲＦコイル１１、１２、１３はイメージングのために選択された領域に隣接して配置される。アレイコイル１１、１２、１３は、身体コイルＲＦ送信によって誘発されたＭＲ信号を受信するために使用されることができる。
【００２５】
得られたＭＲ信号は、本体ＲＦコイル９及び／又はアレイＲＦコイル１１、１２、１３によって取り出され、好ましくはプリアンプ（図示せず）を含むレシーバ１４によって復調される。レシーバ１４は、送信／受信スイッチ８を介してＲＦコイル９、１１、１２、１３に接続される。
【００２６】
ホストコンピュータ１５は、本発明によるＺＴＥイメージングシーケンスを生成するために、勾配パルス増幅器３及びトランスミッタ７と同様、シミングコイル２´を流れる電流を制御する。レシーバ１４は、各ＲＦ励起パルスに続いて高速に連続して複数のＭＲデータラインを受信する。データ収集システム１６は、受信信号のアナログ‐デジタル変換を行い、各ＭＲデータラインを更なる処理に適したデジタルフォーマットに変換する。最近のＭＲ装置では、データ収集システム１６は生画像データの取得に特化した別個のコンピュータである。
【００２７】
最終的に、デジタル生画像データは、適切な再構成アルゴリズムを適用する再構成プロセッサ１７によって画像表示に再構成される。ＭＲ画像は、３次元ボリュームを表す。次いで、画像は、例えば得られたＭＲ画像の人間が読める表示を提供するビデオモニタ１８を介して、画像表示の投影又は他の部分を可視化のために適切なフォーマットに変換するためにアクセスされ得る画像メモリ内に格納される。
【００２８】
図２は、本発明に従って適用される修正されたＺＴＥシーケンスを図示する。本発明によって採用される「サイレント」ＺＴＥ技術の本質は、周波数エンコード読み出し磁場勾配Ｇ１、Ｇ２がオンにされると同時に励起ＲＦパルス２０が送信されることである。読み出し磁場勾配Ｇ１、Ｇ２は、十分な励起帯域幅を達成するためにＲＦパルス２０が短くなければならないこと（典型的には１μｓ〜８μｓ）が必要であることを意味するスライス選択勾配としては意図されていない。すなわち、ＲＦパルスの周波数帯域幅は、視野内のスピンの主磁場及び重畳され印加された勾配磁場のために、共鳴無線周波数範囲よりもはるかに広い。
【００２９】
ＭＲ信号の読み出しは、読み出し磁場勾配Ｇ１、Ｇ２の存在下で間隔２１の間に行われる。各間隔２１は、１００μｓと３ｍｓとの間の典型的な持続時間を有する。読み出し磁場勾配Ｇ１、Ｇ２は、読み出し強度及び読み出し方向の両方が、各励起／読み出しサイクルにわたって実質的に一定のままである。各サイクルの後、読み出し方向は非常にゆっくりと変動する（図２に図示されず）。読み出し方向は、わずかに変動するだけであり、例えば数度（例えば、２°）である。ｋ空間のフルサンプリングの場合、読み取り方向は、球状ボリュームが十分な密度で覆われるまで変動する。
【００３０】
上述のように、従来のＺＴＥイメージングの既知の制約は、各ＲＦパルスの中心とそれぞれのサンプリング間隔の開始との間に有限の時間があることである。使用される機器によって、この不感時間は２μｓと２００μｓとの間であれば何でもよい。結果として、ｋ空間の中心は走査されることができない。
【００３１】
図２に示される本発明の実施形態では、各ＲＦパルス２０の放射と取得間隔２１との間の時間的遅延は、図２にＤで示されたレシーバの不感時間よりも短い。したがって、ｋ空間の中心領域からのＦＩＤ信号の取得は、ＲＦパルスの持続時間、送信‐受信スイッチング、及び信号フィルタリングに起因する不感時間Ｄのために損なわれる。不感時間Ｄの間は、ＭＲ装置１のレシーバゲインはまだ安定したレベルに達していない。
【００３２】
本発明によれば、読み出し勾配の強度は、ＦＩＤ信号の少なくともいくつかが異なる読み出し強度で取得されるように変更される。図２に概略的に示されるように、いくつかの取得の後、読み出し強度がＧ１からＧ２に切り替えられる。読み出し方向は、ＦＩＤ信号が実質的に同一の読み出し方向及び異なる読み出し強度Ｇ１、Ｇ２で取得されるように制御される。ＭＲ装置１のハードウェア特性によって決定され、典型的には再現性が高いことが判明している、不感時間Ｄの間の時間的レシーバゲイン変動は、本発明によれば、同一のｋ空間位置で取得されたがＲＦパルスの照射後の異なる取得時間で得られたｋ空間サンプルを比較することによって得られる。レシーバゲイン変動は、例えば、同じｋ空間位置から取得されたｋ空間サンプルを、異なる取得時間で互いに分割することによって計算され得る。次いで、不感時間効果は、決定されたレシーバゲインの時間的変動に従って信号サンプルを補正することによって、取得されたＦＩＤ信号から除去される。最終的に、ＭＲ画像は、修正されたＦＩＤ信号から再構成される。
【００３３】
上述の本発明の手法は、不感時間Ｄの間に、すなわちレシーバが安定される前に、既にＦＩＤ信号の取得を開始することを可能にする。その結果、本発明は、ＺＴＥ／サイレント走査の画質が大幅に改善されるように、ｋ空間の中心からＦＩＤ信号のより正確な取得を提供する。
【００３４】
図３は、本発明のｋ空間サンプリング方式を示す。この図は、説明のためにｋｘ及びｋｙ方向のみを示す。しかし、本発明の方法によって、ｋ空間内の球状ボリュームの３次元放射状サンプリングが行われることに留意しなければならない。各ＲＦパルス２０の後に、読み出し強度Ｇ１で、いくつかの放射状ｋ空間ライン３１がＭＲ信号として取得される。更なるｋ空間ライン３２は、低減された読み出し強度Ｇ２でサンプリングされる。リング状の斜線部３３において、勾配強度Ｇ１及びＧ２でのｋ空間サンプリングは、斜線部３３から取得されたｋ空間サンプルを比較することによって、本発明に従って不感時間Ｄの間の時間的レシーバゲイン変動が得られるように重なり合う。
【００３５】
中央球状ギャップ３４のサイズは、上記で詳細に説明したように、ｋ空間サンプル３１、３２の取得が不感時間Ｄの間に既に開始するため、従来のＺＴＥイメージングより小さい。
【００３６】
更に、ｋ空間サンプルセット３５は、ゼロ読み出し強度で取得される。この測定は、ｋ＝０での情報を直接提供する。ｋ空間サンプル３５の測定は、例えば走査の開始時又は終了時等、都合の良い時点でＺＴＥシーケンスに挿入されることができる。図２において、ｋ＝０のサンプルセットがシーケンスの最後に取得される。時間的レシーバゲイン変動は、ｋ空間サンプル３５から直接得ることができる。サンプル３５のＦＩＤ信号の全ての信号値はｋ＝０に対応するため、それらの信号変動は、不感時間Ｄの間のレシーバゲインの時間変動を直接反映する。次いで、ゼロ勾配強度で取得されたＦＩＤ信号から得られる時間的レシーバゲイン曲線は、非ゼロ読み出し強度で取得されたｋ空間サンプル３１、３２における不感時間効果を補償するために使用されることができる。
【図１】
0006684781.tif 000002
【図２】
0006684781.tif 000003
【図３】
0006684781.tif 000004